(57)【要約】【課題】簡単な構成を付加することで、イヤホンの取り付けや取り外しを毎回行うことなく、音声信号の出力先の切り替えができる音声出力装置を提供する。【解決手段】音声出力装置（テレビ受像機）１は、リモコン１４から出力される切り替え信号をリモコン信号受信部１１が受信すると、制御部１３からの制御信号により音声の出力先をスピーカ８とイヤホン１９とに選択的に切り替える音声信号出力部７を備えている。音声信号出力部７は、音声信号の出力先を切り替える際に直前の音量が一定値以上であると、最大音量を一定値に制限する。さらに、イヤホン端子９にイヤホン１９のプラグ１９Ｐが接続されていない場合には、リモコン１４から切り替え信号が出力されても、イヤホン端子９を出力先に設定せずに、スピーカ８のみを出力先に設定する。これにより、ユーザは、音声出力装置１にイヤホン１９を着脱することなく、音声の出力先を容易に切り替えられる。【選択図】図２
2007295383.tif 000002
【特許請求の範囲】
【請求項１】
音声信号を増幅する音声信号増幅手段と、前記音声信号増幅手段が増幅した音声信号をイヤホン端子または内蔵するスピーカへ選択的に出力する音声信号出力手段と、
リモートコントローラから送信されてきた本体に対する制御信号を受信するリモコン信号受信手段を備えた音声信号出力装置において、
前記イヤホン端子におけるデバイスの接続の有無を検出する接続検出手段を備え、
前記音声信号出力手段は、前記音声信号増幅手段と前記スピーカとの間を電気的に開閉する第１開閉手段と、前記音声信号増幅手段と前記イヤホンとの間を電気的に開閉する第２開閉手段と、前記第１開閉手段が開で前記第２開閉手段が閉の状態と、前記第１開閉手段が閉で前記第２開閉手段が開の状態と、を交互に切り替えるように、前記第１開閉手段及び前記第２開閉手段を制御する制御手段と、を備え、
前記音声信号出力手段は、前記リモコン信号受信手段が受信した前記制御信号が音声信号の出力先の切り替えを指示する切り替え信号であれば、この切り替え信号に応じて、音声信号の出力先を前記スピーカまたは前記イヤホン端子に切り替え、前記接続検出手段が、前記イヤホン端子にデバイスが接続されていないことを検出している場合には、前記リモコン信号受信手段が受信した切り替え信号にかかわらず、前記スピーカのみを音声信号の出力先とし、
前記音声信号増幅手段は、前記リモコン信号受信手段が前記リモートコントローラからの切り替え信号を受信した際の増幅率が予め設定されている標準値を上回っていれば、この増幅率を前記標準値に設定することを特徴とする音声出力装置。
【請求項２】
音声信号を増幅する音声信号増幅手段と、前記音声信号増幅手段が増幅した音声信号をイヤホン端子または内蔵するスピーカへ選択的に出力する音声信号出力手段と、
リモートコントローラから送信されてきた本体に対する制御信号を受信するリモコン信号受信手段を備えた音声信号出力装置において、
前記音声信号出力手段は、前記リモコン信号受信手段が受信した前記制御信号が音声信号の出力先の切り替えを指示する切り替え信号であれば、この切り替え信号に応じて、音声信号の出力先を前記スピーカまたは前記イヤホン端子に切り替え、
前記音声信号増幅手段は、前記リモコン信号受信手段が前記リモートコントローラからの切り替え信号を受信した際の増幅率が予め設定されている標準値を上回っていれば、この増幅率を前記標準値に設定することを特徴とする音声出力装置。
【請求項３】
前記イヤホン端子におけるデバイスの接続の有無を検出する接続検出手段を備え、
前記音声信号出力手段は、
前記接続検出手段が、前記イヤホン端子にデバイスが接続されていないことを検出している場合には、前記リモコン信号受信手段が受信した切り替え信号にかかわらず、前記スピーカのみを音声信号の出力先とする請求項２に記載の音声出力装置。
【請求項４】
前記音声信号出力手段は、
前記音声信号増幅手段と前記スピーカとの間を電気的に開閉する第１開閉手段と、
前記音声信号増幅手段と前記イヤホンとの間を電気的に開閉する第２開閉手段と、
前記第１開閉手段が開で前記第２開閉手段が閉の状態と、前記第１開閉手段が閉で前記第２開閉手段が開の状態と、を交互に切り替えるように、前記第１開閉手段及び前記第２開閉手段を制御する制御手段と、を備えた請求項２に記載の音声出力装置。
【発明の詳細な説明】
【技術分野】
【０００１】
この発明は、イヤホンやヘッドホン（以下、イヤホンと総称する。）を予めイヤホン端子に接続しておくことで、リモートコントローラ（以下、リモコンと称する。）からの切り替え信号に応じて音声信号の出力先をスピーカまたはイヤホンに切り替え可能な音声出力装置に関する。
【背景技術】
【０００２】
従来、テレビ受像機（以下、テレビと称する。）、ラジオ、オーディオ装置等の音声出力装置は、通常、内蔵スピーカまたはスピーカ端子に接続されたスピーカから音声を放音する。また、イヤホンのプラグがイヤホン端子に接続されると、スピーカからの音声出力を停止して、このイヤホンから音声を放音する。
【０００３】
ユーザは、例えばテレビを視聴中に、スピーカから放音された音声を聴取していたが、その音声が周囲の迷惑とならないように、ある時点からイヤホンを装着して音声を聴取する場合には、テレビに設けられているイヤホン端子にイヤホンのプラグを接続する必要がある。また、ユーザは、テレビを視聴中にイヤホンで音声を聴取していたが、途中から複数人でスピーカから放音された音声を聴取する場合には、テレビのイヤホン端子からイヤホンのプラグを抜く必要がある。
【０００４】
しかし、いずれの場合も、ユーザは席を立ってテレビ（音声出力装置）の設置場所まで移動して作業し、席まで戻らなければならず、煩わしいという問題があった。
【０００５】
そこで、従来、テレビの本体に音声信号の送信機を組み込み、また、テレビ操作用のワイヤレスリモコンに音声信号の受信機とイヤホンを内蔵させて、本体からの音声信号をリモコンで受信することで、イヤホンのプラグをテレビのイヤホン端子に接続することなく、音声を聴取できる構成の受信機付きリモコンに関する発明が開示されている（特許文献１参照。）。
【特許文献１】特開２０００−１３８８８０号公報
【発明の開示】
【発明が解決しようとする課題】
【０００６】
しかしながら、特許文献１に記載された発明では、前記のように、音声信号をテレビとリモコンの間で送受するために、テレビには音声信号の送信機を、またリモコンには音声信号の受信機やイヤホンコードの収納リール等を設けなければならない。そのため、装置本体やリモコンが大きくなってしまい、取り扱いにくくなるという問題があった。
【０００７】
そこで、本発明は、簡単な構成を付加するだけで装置のサイズがほとんど増大することなく、また、イヤホンの取り付けや取り外しを毎回行うことなく、音声信号の出力先を切り替えることができる音声出力装置を提供することを目的とする。
【課題を解決するための手段】
【０００８】
この発明は、上記の課題を解決するための手段として、以下の構成を備えている。
【０００９】
（１）音声信号を増幅する音声信号増幅手段と、前記音声信号増幅手段が増幅した音声信号をイヤホン端子または内蔵するスピーカへ選択的に出力する音声信号出力手段と、
リモートコントローラから送信されてきた本体に対する制御信号を受信するリモコン信号受信手段を備えた音声信号出力装置において、
前記音声信号出力手段は、前記リモコン信号受信手段が受信した前記制御信号が音声信号の出力先の切り替えを指示する切り替え信号であれば、この切り替え信号に応じて、音声信号の出力先を前記スピーカまたは前記イヤホン端子に切り替え、
前記音声信号増幅手段は、前記リモコン信号受信手段が前記リモートコントローラからの切り替え信号を受信した際の増幅率が予め設定されている標準値を上回っていれば、この増幅率を前記標準値に設定することを特徴とする。
【００１０】
この構成においては、音声信号出力手段は、リモートコントローラから出力された切り替え信号に応じて、音声信号の出力先をスピーカまたはイヤホンに切り替える。また、音声信号の出力先を切り替える際に、増幅率が予め設定されている標準値を上回っていれば、この増幅率を前記標準値に設定する。したがって、ユーザは、イヤホン端子に予めイヤホンを接続してイヤホンを手元に置いておき、リモートコントローラを操作することで、周囲の状況に応じて音声の出力先をスピーカまたはイヤホンに切り替えることができる。これにより、ユーザは、音声の出力先を切り替えるために、音声出力装置のイヤホン端子のところまで移動する必要が無く、手軽に音声の出力先を切り替えることができる。また、音量を最大レベルにしてイヤホンで音声を聴取していて、音声信号の出力先をスピーカに切り替えると、スピーカから最大レベルの音量の音声が放音されるため、周囲に迷惑をかけたり、場合によってはスピーカが破損したりする。また、音量を最大レベルにしてスピーカで音声を聞いていて、音声信号の出力先をイヤホンに切り替えると、イヤホンから最大レベルの音量の音声が放音されるため、場合によってはユーザが耳を痛める可能性がある。しかし、本発明では、音声信号増幅手段は、音声信号の出力先を切り替える際に、増幅率が予め設定されている標準値を上回っていれば、この増幅率を前記標準値に設定する。したがって、音声信号の出力先を切り替えた際に、スピーカやイヤホンから大音量の音声が放音されるのを防止でき、スピーカが破損したり、ユーザが鼓膜を痛めたりするのを防止できる。
【００１１】
（２）前記イヤホン端子におけるデバイスの接続の有無を検出する接続検出手段を備え、
前記音声信号出力手段は、
前記接続検出手段が、前記イヤホン端子にデバイスが接続されていないことを検出している場合には、前記リモコン信号受信手段が受信した切り替え信号にかかわらず、前記スピーカのみを音声信号の出力先とすることを特徴とする。
【００１２】
この構成においては、イヤホン端子にイヤホンやヘッドホンなどのデバイスが接続されていない場合には、リモコン信号受信手段にが受信した切り替え信号にかかわらず、デバイスを音声信号の出力先とせずに、スピーカのみを音声信号の出力先に設定する。したがって、デバイスをイヤホン端子に接続していない場合に、誤ってリモートコントローラを操作しても、スピーカからデバイスに音声信号の出力先が切り替わって無音状態になることがなく、音声が途切れるのを防止できる。
【００１３】
（３）前記音声信号出力手段は、
前記音声信号増幅手段と前記スピーカとの間を電気的に開閉する第１開閉手段と、
前記音声信号増幅手段と前記イヤホンとの間を電気的に開閉する第２開閉手段と、
前記第１開閉手段が開で前記第２開閉手段が閉の状態と、前記第１開閉手段が閉で前記第２開閉手段が開の状態と、を交互に切り替えるように、前記第１開閉手段及び前記第２開閉手段を制御する制御手段と、を備えたことを特徴とする。
【００１４】
この構成においては、制御手段は、第１開閉手段及び第２開閉手段が同時に開または閉にならないように開閉動作を制御するので、割り込み等の影響を受けることなく速やかに音声信号の出力先を切り替えることができる。
【発明の効果】
【００１５】
本発明によれば、ユーザは、音声出力装置に予めイヤホンを接続しておき、手元にイヤホンを置いておくことで、音声出力装置にイヤホンを取り付けたり取り外したりすることなく、リモコンの操作により音声の出力先を切り替えることができる。また、音声信号の出力先を切り替える際に、音量が一定値以上であると音量を一定値に制限するので、音声信号の出力先を切り替えた際に、スピーカやイヤホンから大音量の音声が放音されるのを防止でき、スピーカが破損したり、ユーザが鼓膜を痛めたりするのを防止できる。
【発明を実施するための最良の形態】
【００１６】
以下、本発明の実施形態に係る音声出力装置の一例であるテレビ受像機について説明する。
【００１７】
図１は、テレビ受像機の主な構成を示すブロック図である。テレビ受像機１は、チューナ２、映像／音声分離部３、ＯＳＤ処理部４、映像信号出力部５、表示部６、音声信号出力部７、スピーカ８、イヤホン端子９、操作部１０、リモコン信号受信部１１、記憶部１２、及び制御部１３を備えている。チューナ２には、アンテナ２Ａが接続されている。また、イヤホン端子９には、イヤホン１９のプラグ１９Ｐが接続されている。ユーザは、操作部１０やリモコン１４を操作することでテレビ受像機１の動作を制御することが可能である。
【００１８】
チューナ２は、アンテナ２Ａで受信しているテレビ放送信号から選択されているチャンネルのテレビ放送信号を抽出して出力する。選択されているチャンネルは、制御部１３によって指定される。
【００１９】
映像／音声分離部３は、チューナ２から出力されたテレビ放送信号を、映像信号と音声信号とに分離抽出する。映像／音声分離部３から出力された映像信号は、ＯＳＤ処理部４を介して、映像信号出力部５に送られる。
【００２０】
ＯＳＤ処理部４は、ＯＳＤ画像メモリ４Ｍを内蔵しており、制御部１３から与えられる制御信号に基づいて、映像信号に文字や図形を重畳する。ＯＳＤ画像メモリ４Ｍは、映像に重畳する文字や図形を記憶する。
【００２１】
映像信号出力部５は、ＯＳＤ処理部４が出力した映像信号を表示部６に出力する。
【００２２】
表示部６は、ＣＲＴや液晶等から成り映像を表示する。
【００２３】
音声信号出力部７は、オーディオアンプ（不図示）を内蔵しており、映像／音声分離部３が出力した音声信号を増幅して内蔵のスピーカ８またはイヤホン１９に出力する。この増幅量は、制御部１３によって定められ、記憶部１２が記憶する設定音量レベルに応じたものである。
【００２４】
スピーカ８・イヤホン１９は、音声を外部に放音する。
【００２５】
操作部１０及びリモコン１４は、ユーザが設定音量レベルの調節や音声の出力先（スピーカ８またはイヤホン１９）の切り替え等の操作を行うためのものである。操作部１０及びリモコン１４は、音声の出力先（放音先）をスピーカ８にするか、またはイヤホン１９にするかを選択する選択キーを有する。
【００２６】
リモコン信号受信部１１は、リモコン１４から出力された信号（赤外線）を受信する。リモコン信号受信部１１は、電源のＯＮ／ＯＦＦ、チャンネルの切り替え、設定音量レベルの調節等の命令が入力されると、リモコン１４からの命令信号を受信して制御部１３に伝送する。
【００２７】
記憶部１２は、不揮発性のメモリからなり、記憶内容を更新可能である。記憶部１２は、例えば半導体メモリやハードディスクから構成され、設定音量レベルなど各種の設定値を記憶する。設定音量レベルは、ユーザが操作部１０又はリモコン１４によって調節（設定）する音量のレベルである。
【００２８】
制御部１３は、テレビ受像機１の各部を制御する。制御部１３は、例えばマイクロコンピュータで構成される。また、制御部１３は、制御プログラムを格納するＲＯＭ１３ａと、該制御プログラム等を展開するワークフィールドとしてのＲＡＭ１３ｂと、を有する。
【００２９】
このような構成により、テレビ受像機１は、表示部６にテレビ番組の映像を表示させ、スピーカ８またはイヤホン１９からテレビ番組等の音声を放音させる。
【００３０】
なお、テレビ受像機１の各部には、不図示の電源回路から動作電源が供給されている。この電源回路の入力は、商用電源（例えばＡＣ１００Ｖ）である。
【００３１】
次に、音声信号の出力系統の具体的な構成について説明する。図２は、テレビ受像機における音声信号の出力系統の一構成例を示す回路図である。図２に示すように、音声信号出力部７は、オーディオアンプ７１、トランジスタＴｒ１・Ｔｒ２・Ｔｒ３を備えている。トランジスタＴｒ１は、ベースが制御部１３の信号出力端子１３Ｓに接続され、コレクタがオーディオアンプ７１の出力端子７１Ｓに接続され、エミッタがイヤホン端子９の一方の端子９Ａに接続されている。また、トランジスタＴｒ２は、ベースが制御部１３の信号出力端子１３Ｓに接続され、コレクタが電源Ｖｃｃ及びトランジスタＴｒ３のベースに接続され、エミッタがＧＮＤ（グランド）に接続されている。さらに、トランジスタＴｒ３は、ベースが電源Ｖｃｃ及びトランジスタＴｒ２のコレクタに接続され、コレクタがオーディオアンプ７１の出力端子７１Ｓに接続され、エミッタがスピーカ８の一方の端子８Ａに接続されている。スピーカ８の他方の端子８Ｂ、及びイヤホン端子９の他方の端子９Ｂは、ＧＮＤ（グランド）に接続されている。
【００３２】
オーディオアンプ７１は、映像／音声分離部３から出力された音声信号を増幅してスピーカ８またはイヤホン１９へ出力する。トランジスタＴｒ１は、制御部１３からの制御信号に応じてオーディオアンプ７１とイヤホン端子９の間を接離する。トランジスタＴｒ２は、制御部１３からの制御信号に応じてトランジスタＴｒ３の動作を制御する。トランジスタＴｒ３は、オーディオアンプ７１とスピーカ８の間を接離する。
【００３３】
イヤホン１９のプラグ１９Ｐは、イヤホン端子９から抜き差し可能であり、プラグ１９Ｐの端子１９Ａがイヤホン端子の一方の端子９Ａに、プラグ１９Ｐの端子１９Ｂがイヤホン端子の他方の端子９Ｂにそれぞれ接続される。
【００３４】
次に、テレビ受像機１で、テレビ番組等を視聴する際に音声を放音させるデバイスの切り替え手順について説明する。ユーザは、イヤホン端子９に予めイヤホン１９のプラグ１９Ｐを接続しておくとともに、イヤホン１９をユーザの手元に置いておく。そして、ユーザは、リモコン１４の音声出力先切り替えボタン（不図示）を操作することで、音声信号の出力先を、スピーカ８からイヤホン１９へ、またはイヤホン１９からスピーカ８へ、切り替えることができる。
【００３５】
リモコン１４は、音声出力先切り替えボタンの操作されると、音声信号の出力先の切り替えを指示する信号（以下、切り替え信号と称する。）を出力する。なお、この切り替え信号の搬送波としては、例えば赤外線や電波などが用いられる。
【００３６】
テレビ受像機１は、リモコン１４から出力された切り替え信号を受け付けるまでに、音声信号をスピーカ８から放音させていた場合、制御部１３はトランジスタＴｒ１及びＴｒ２に対して制御信号としてＬｏ信号を出力しており、トランジスタＴｒ１・Ｔｒ２がオフし、Ｔｒ３がオンしている。これにより、オーディオアンプ７１から出力された音声信号はスピーカ８のみに出力され、スピーカ８から音声が放音される。
【００３７】
ユーザが、音声信号の出力先をスピーカ８からイヤホン１９へ切り替える際には、リモコン１４の音声出力先切り替えボタンを操作する。リモコン１４は、この操作に応じて切り替え信号を出力（送信）する。テレビ受像機１の制御部１３は、リモコン信号受信部１１で、リモコン１４から出力された切り替え信号を受信すると、制御信号をＬｏからＨｉへと切り替える。これにより、トランジスタＴｒ１・Ｔｒ２がオンし、Ｔｒ３がオフするので、オーディオアンプ７１から出力された音声信号はイヤホン１９にのみ出力され、イヤホン１９から音声が放音される。
【００３８】
一方、テレビ受像機１は、リモコン１４から出力された切り替え信号を受け付けるまでに、音声信号をイヤホン１９から放音させていた場合、制御部１３はトランジスタＴｒ１及びＴｒ２に対して制御信号としてＨｉ信号を出力しており、トランジスタＴｒ１・Ｔｒ２がオンし、Ｔｒ３がオフしている。これにより、オーディオアンプ７１から出力された音声信号はイヤホン１９のみに出力され、イヤホン１９から音声が放音される。
【００３９】
ユーザが、音声信号の出力先をイヤホン１９からスピーカ８へ切り替える際には、リモコン１４の音声出力先切り替えボタンを操作する。リモコン１４は、この操作に応じて切り替え信号を出力（送信）する。テレビ受像機１の制御部１３は、リモコン信号受信部１１で、リモコン１４から出力された切り替え信号を受信すると、制御信号をＨｉからＬｏへと切り替える。これにより、トランジスタＴｒ１・Ｔｒ２がオフし、Ｔｒ３がオンするので、オーディオアンプ７１から出力された音声信号はスピーカ８にのみ出力され、スピーカ８から音声が放音される。
【００４０】
また、テレビ受像機１は、イヤホン端子９にイヤホン１９のプラグ１９Ｐが接続さていない場合でも、スピーカ８へ音声信号を出力している状態で、制御信号を受信すると、音声信号の出力先をイヤホン端子９側に切り替える。この場合には、イヤホン端子９にイヤホン１９のプラグ１９Ｐが接続されていないので、単なるスピーカミュート（無音状態）として動作する。
【００４１】
さらに、テレビ受像機１では、音声信号の出力先を切り替えた際に、スピーカ８やイヤホン１９から大音量の音声が放音されないように音量を制限するように構成されている。すなわち、オーディオアンプ７１は、制御部１３から音声信号の出力先を切り替える制御信号を受信した際には、音量を低下させる機能を備えている。例えば、ボリューム（音量）の設定が０〜１０までの範囲に設定されている場合に、ユーザが音量を８〜１０にしてイヤホン１９で音声を聴取しており、途中で音声信号の出力先をスピーカ８に切り替えると、スピーカ８から大音量の音声が放音されるため、周囲の人に迷惑をかけてしまう可能性が高い。また、ユーザが音量を８〜１０にしてスピーカ８で音声を聴取しており、途中で音声信号の出力先をイヤホン１９に切り替えた場合、イヤホン１９の装着状態によっては耳を痛めてしまう可能性が高い。
【００４２】
そこで、本発明のテレビ受像機１では、音声信号の出力先を切り替える制御信号を受信する前に一定音量以上のボリューム（音量）で音声を聴取していた場合には、その音量にかかわらず、音量の最大値を一定値まで低下させる。例えば、前記のようにボリューム（音量）の設定が０〜１０までの範囲に設定されている場合、ユーザが例えば音量８等、音量５以上にして音声を聴取していて、音声信号の出力先を切り替える制御信号を受信した場合、オーディオアンプ７１は、音量の最大値を５に制限する。これにより、周囲の人に迷惑をかけたり、ユーザが耳を痛めたりするのを防止できる。
【００４３】
次に、テレビ受像機１では、トランジスタＴｒ１〜Ｔｒ３を設けずに、制御部１３からオーディオアンプ７１に対して制御信号を出力することで、音声の出力先を切り替えるように構成することも可能である。また、イヤホン１９のプラグ１９Ｐがイヤホン端子９に接続されていない場合には、ユーザがリモコン１４の音声出力先切り替えボタンを操作しても、音声信号の出力先を切り替えないように構成することが可能である。さらに、テレビ受像機１では、図２に示したテレビ受像機１と同様に、音声信号の出力先を切り替えた際に、スピーカ８やイヤホン１９から大音量の音声が放音されないように、音量を制限する構成を備えている。以下、その詳細を説明する。
【００４４】
図３は、テレビ受像機における音声信号の出力系統の一構成例を示す回路図である。図３に示す構成では、音声信号出力部７のオーディオアンプ７１に、スピーカ８及びイヤホン１９を直接接続する。また、制御部１３をマイクロコンピュータで構成して、リモコン１４から出力された切り替え信号に応じて、制御部１３が制御信号をオーディオアンプ７１へ出力させる。オーディオアンプ７１は、制御信号を受信すると、現在出力しているデバイスと異なるデバイスに音声信号を出力する。すなわち、オーディオアンプ７１は、制御部１３から制御信号を受信するまでスピーカ８に音声信号を出力していた場合には、制御信号を受信すると、音声信号の出力先をスピーカ８からイヤホン１９へ切り替える。また、オーディオアンプ７１は、制御部１３から制御信号を受信するまでイヤホン１９に音声信号を出力していた場合には、制御信号を受信すると、音声信号の出力先をイヤホン１９からスピーカ８へ切り替える。
【００４５】
また、テレビ受像機１は、イヤホン端子９にイヤホン１９のプラグ１９Ｐが接続さているか否かを検出するプラグ接続検出部１６を備えており、制御部１３は、このプラグ接続検出部１６から出力された信号により、プラグ１９Ｐの接続の有無を検出できる。このため、テレビ受像機１では、イヤホン端子９にイヤホン１９のプラグ１９Ｐが接続されていない場合には、音声信号の出力先を切り替える制御信号を検出したとしても、音声信号の出力先をスピーカ８からイヤホン１９へ切り替えない。したがって、テレビ受像機１にイヤホン１９が接続されていない場合に、リモコン１４の音声信号出力先切り替えボタンをユーザが操作しても、音声信号の出力先がイヤホン端子９に切り替わって、無音状態とならず、音声信号の出力先を切り替えた際に音声が途切れるのを防止できる。
【００４６】
さらに、オーディオアンプ７１は、図２に示した構成と同様に、制御部１３から音声信号の出力先を切り替える制御信号を受信した際には、音量を低下させる機能を備えている。オーディオアンプ７１の動作は、図２に示したものと同様であるため省略する。これにより、周囲の人に迷惑をかけたり、ユーザが耳を痛めたりするのを防止できる。
【００４７】
以上のように、本発明によれば、音声出力装置に予めイヤホンを接続しておき、手元にイヤホンを置いておくことで、音声出力装置にイヤホンを取り付けたり取り外したりすることなく、音声の出力先を切り替えることができる。
【図面の簡単な説明】
【００４８】
【図１】テレビ受像機の主な構成を示すブロック図である。
【図２】テレビ受像機における音声信号の出力系統の一構成例を示す回路図である。
【図３】テレビ受像機における音声信号の出力系統の一構成例を示す回路図である。
【符号の説明】
【００４９】
１−テレビ受像機    ２Ａ−アンテナ    ２−チューナ    ４−ＯＳＤ処理部    ５−映像信号出力部    ６−表示部    ７−音声信号出力部    ８−スピーカ    ９−イヤホン端子    １０−操作部    １１−リモコン信号受信部    １２−記憶部    １３ｂ−ＲＡＭ    １３ａ−ＲＯＭ    １３−制御部    １４−リモコン    １６−プラグ接続検出部    １９−イヤホン    １９Ｐ−プラグ    ７１−オーディオアンプ
【図１】
2007295383.tif 000003
【図２】
2007295383.tif 000004
【図３】
2007295383.tif 000005